(57)【要約】      （修正有）【課題】製造過程中の工程を簡易化し、製造コストを低減できる電源コンセント及び該コンセントを具えるアダプタを提供する。【解決手段】電源コンセント１は、絶縁ソケット体１０及び複数の導電ピン２０を含む。絶縁ソケット体１０は、ソケット部１１及びソケット部１１から凸伸する延伸部１２を含み、ソケット部１１の端面に挿入溝を設け、延伸部１２に挿入溝に連通する複数の貫通孔１２１を設け、延伸部１２の各貫通孔１２１に対応する位置に貫通孔１２１を貫通する通孔１２２を設ける。各導電ピン２０は、それぞれ貫通孔１２１に埋設され、各導電ピン２０の一端は、挿入溝内に露出し、他端は、通孔１２２の内側に形成される。【選択図】図１
0003191097.tif 000002
【実用新案登録請求の範囲】
【請求項１】
ソケット部及び該ソケット部から凸伸する延伸部を含み、該ソケット部の端面に挿入溝を設け、該延伸部に該挿入溝を連通する複数の貫通孔を設け、該延伸部は、該貫通孔に対応する位置に該貫通孔を貫通する通孔を設ける絶縁ソケット体と、
それぞれ該貫通孔に埋設され、各該導電ピンの一端は、該挿入溝内に露出し、他端は、該通孔の内側に形成される複数の導電ピンと、
を含む電源コンセント。
【請求項２】
前記通孔の軸心線及び該貫通孔の軸心線が相互に垂直である請求項１に記載の電源コンセント。
【請求項３】
前記通孔は、小径段及び該小径段と同心の大径段を含み、該小径段は、該貫通孔の近隣に設置され、該大径段は、該小径段の外側に形成される請求項１に記載の電源コンセント。
【請求項４】
前記導電ピンは、導接端と、該導接端から延伸する固定段と、該固定段末端に形成される溶接端と、を含み、該固定段は、該貫通孔内に埋設され、該導接端は、該挿入溝内に露出され、該溶接端は、該通孔内側に形成される請求項１に記載の電源コンセント。
【請求項５】
更に、カバー板を含み、該カバー板は、該延伸部に被せ合わされる請求項１に記載の電源コンセント。
【請求項６】
前記カバー板は、立板及び該立板から湾折延伸する一対の遮蔽板を含み、該延伸部の該通孔外周縁において上方へ向けて保護板を延伸し、該立板は、該延伸部の端面に被さり合い、各該遮蔽板は、それぞれ対応する該保護板を遮蔽する請求項５に記載の電源コンセント。
【請求項７】
前記立板の内壁に複数の孔塞栓を凸伸し、各該孔塞栓は、それぞれ各該貫通孔を対応して塞栓する請求項６に記載の電源コンセント。
【請求項８】
前記保護板の外縁及び該延伸部の間にラッチ溝を形成し、該遮蔽板内側の該ラッチ溝に対応する位置に相互に嵌合接続するラッチアームを形成する請求項６に記載の電源コンセント。
【請求項９】
前記保護板は、Ｕ字型を呈する請求項６に記載の電源コンセント。
【請求項１０】
ソケット部及び該ソケット部から凸伸する延伸部を含み、該ソケット部の端面に挿入溝を設け、該延伸部に該挿入溝を連通する複数の貫通孔を設け、該延伸部は、該貫通孔に対応する位置に該貫通孔を貫通する通孔を設ける絶縁ソケット体と、
それぞれ該貫通孔に埋設され、各該導電ピンの一端は、該挿入溝内に露出し、他端は、該通孔の内側に形成される複数の導電ピンと、
を含む電源コンセントと、
複数の導電線であり、各該導電線の一端が該通孔に挿入設置され、該導電ピンと電気接続する複数の導電線と、
を含むアダプタ。
【請求項１１】
前記通孔の軸心線及び該貫通孔の軸心線が相互に垂直である請求項１０に記載のアダプタ。
【請求項１２】
前記通孔は、小径段及び該小径段と同心の大径段を含み、該導電線は、芯線及び該芯線外部を覆う被覆層を含み、該芯線は、該小径段及び該貫通孔に穿合し、該被覆層は、ブロックされて該大径段に形成される請求項１０に記載のアダプタ。
【請求項１３】
前記導電ピンは、導接端と、該導接端から延伸する固定段と、該固定段末端に形成される溶接端と、を含み、該固定段は、該貫通孔内に埋設され、該導接端は、該挿入溝内に露出され、該溶接端は、該通孔内側に形成され、はんだ材により該芯線と結合される請求項１２に記載のアダプタ。
【請求項１４】
更に、カバー板を含み、該カバー板は、該延伸部に被せ合わされる請求項１０に記載のアダプタ。
【請求項１５】
前記カバー板は、立板及び該立板から湾折延伸する一対の遮蔽板を含み、該延伸部の該通孔外周縁において上方へ向けて保護板を延伸し、該立板は、該延伸部の端面に被さり合い、各該遮蔽板は、それぞれ対応する該保護板を遮蔽する請求項１４に記載のアダプタ。
【請求項１６】
前記立板の内壁に複数の孔塞栓を凸伸し、各該孔塞栓は、それぞれ各該貫通孔を対応して塞栓する請求項１５に記載のアダプタ。
【請求項１７】
前記保護板の外縁及び該延伸部の間にラッチ溝を形成し、該遮蔽板内側の該ラッチ溝に対応する位置に相互に嵌合接続するラッチアームを形成する請求項１５に記載のアダプタ。
【請求項１８】
前記保護板は、Ｕ字型を呈する請求項１５に記載のアダプタ。
【請求項１９】
更に、回路板を含み、各該導電線の他端は、該回路板に電気接続する請求項１０に記載のアダプタ。
【考案の詳細な説明】
【技術分野】
【０００１】
本考案は、電源コンセントに関し、特に、交流電に用いる電源コンセント及び該コンセントを具えるアダプタに関する。
【背景技術】
【０００２】
電源コンセントは、電気製品、例えば、ポーダブルステレオ又はＤＶＤプレイヤー、及びパソコン等の情報製品に広く応用され、両端が何れもプラグである電源ケーブルにより、それぞれ製品の電源コンセント及び都市電源コンセントに挿入し、該製品に電源を取得させ、使用者に操作させている。
【０００３】
従来の電源コンセントは、主に絶縁ソケット体及び複数の導電端子を含み、各導電端子の部分領域は、それぞれ絶縁ソケット体内に埋設され、各導電端子の末端は、スタンピングリベットプロセスを利用し、金属片と接続され、このように、電源コンセントとして組み合わさる。
【０００４】
しかしながら、従来の電源コンセントは、スタンピングリベットプロセスにより導電端子と金属片の接続を達成し、リベットの強度が不足するか、外力の破壊の影響を受けて両者間のリベット接合位置が容易に緩み、高温、接触不良による火花又は脱落の状況を招き、深刻であれば、製品の使用の安全に影響を及ぼす。また、前記スタンピングリベットプロセスは、特定モジュールを必要とするだけでなく、スタンピングリベット機器の補助を得て初めて達成でき、このように、プロセスが複雑であり、製造コストを効率的に低減させることができず、解決が期待されている。
【先行技術文献】
【特許文献】
【０００５】
【特許文献１】実用新案登録第３１４４８０６号公報
【考案の概要】
【考案が解決しようとする課題】
【０００６】
本考案の目的は、製造過程中の工程を簡易化し、製造コストを低減できる電源コンセント及び該コンセントを具えるアダプタを提供することにある。
【課題を解決するための手段】
【０００７】
上記の目的を達成する為、本考案が提供する電源コンセントは、絶縁ソケット体及び複数の導電ピンを含み、該絶縁ソケット体は、ソケット部及び該ソケット部から凸伸する延伸部を含み、該ソケット部の端面に挿入溝を設け、該延伸部に該挿入溝に連通する複数の貫通孔を設け、該延伸部の各該貫通孔に対応する位置に該貫通孔を貫通する通孔を設け、各導電ピンは、それぞれ該貫通孔に埋設され、各該導電ピンの一端は、該挿入溝内に露出し、他端は、該通孔の内側に形成される。
【０００８】
上記の目的を達成する為、本考案が提供するアダプタは、電源コンセント及び複数の導電線を含み、該電源コンセントは、絶縁ソケット体及び複数の導電ピンを含み、該絶縁ソケットは、ソケット部及び該ソケット部から凸伸する延伸部を含み、該ソケット部の端面に挿入溝を設け、該延伸部に該挿入溝に連通する複数の貫通孔を設け、該延伸部の各該貫通孔に対応する位置に該貫通孔を貫通する通孔を設け、各導電ピンは、それぞれ該貫通孔に埋設され、各該導電ピンの一端は、該挿入溝内に露出し、他端は、該通孔の内側に形成され、各該導電線の一端は、該通孔を挿入設置され、該導電ピンと電気接続する。
【考案の効果】
【０００９】
本考案は、以下の効果を有し、通孔の軸心線及び貫通孔の軸心線の相互に垂直な配設を利用して導電線が引っ張られて分離する不良な状況を効率的に防止することができる。カバー板の導電線及び導電挿入ピンの接続箇所に対するカバーにより、通電時に発生するアーク火花が十分に覆い包まれることができる。
【図面の簡単な説明】
【００１０】
【図１】本考案の電源コンセントの立体分解図である。
【図２】本考案の電源コンセント及び各導電線の組み合わせ前の説明図である。
【図３】本考案の電源コンセント及び各導電線の組み合わせ後の説明図である。
【図４】本考案の電源コンセント及び各導電線の組み合わせ後の外観図である。
【図５】図４の断面図である。
【図６】本考案のアダプタの組み合わせ説明図である。
【考案を実施するための形態】
【００１１】
本考案の詳細な説明及び技術内容について、図面を合わせて以下に説明するが、図面は、ただ参考及び説明用に提供するだけであり、本考案に制限を加えるものではない。
【００１２】
図１〜図５に示すように、本考案が提供する電源コンセント１は、絶縁ソケット１０及び複数の導電ピン２０を含む。
【００１３】
絶縁ソケット体１０は、絶縁材料により射出成型方式で形成され、それは、ソケット部１１及びソケット部１１から後方に凸伸する延伸部１２を含み、ソケット部１１は、扁平状板体を呈し、延伸部１２は、「品」字型を呈し、ソケット部１１の前端面は、挿入溝１１１を設け（図４参照）、この挿入溝１１１は、後方へ延伸部１２の内部まで深く入り、延伸部１２は、挿入溝１１１に連通する３つの貫通孔１２１を設け、各貫通孔１２１の軸心線は、相互に平行であり、且つ前記挿入溝１１１の中心線と平行関係を呈して配設される。
【００１４】
延伸部１２の各貫通孔１２１に対応する位置の上方に貫通孔１２１を貫通する通孔１２２を設け、この通孔１２２の軸心線及び貫通孔１２１の軸心線は、互いに垂直であり、且つ通孔１２２は、小径段１２３及び小径段１２３と同心の大径段１２４から構成され（図２参照）、小径段１２３は、前記貫通孔１２１の近隣に位置し、大径段１２４は、小径段１２３の外側に形成される。
【００１５】
また、延伸部１２両側辺の通孔１２２外周縁にそれぞれ上方へ保護板１２５を延伸し、この保護板１２５は、Ｕ字型を呈し、各保護板１２５の外縁及び延伸部１２の間は、ラッチ溝１２６を形成する。
【００１６】
導電ピン２０は、金属等の導電性が良好な材料で形成され、その数量は、２本又は３本の形態であることができ、本実施例は、３本の導電ピン２０により説明を行い、この導電ピン２０は、中空管又は実心ロッドであることができ、各導電ピン２０は、導接端２１、導接端２１から延伸する固定段２２及び固定段２２末端に形成される溶接端２３を有し、そのうち、固定段２２は、前記貫通孔１２１内に埋設され、導接端２１は、前記挿入溝１１１内に露出され、溶接端２３は、通孔１２２の内側に形成される。
【００１７】
好ましくは、本考案の電源コンセント１は、カバー板３０を更に含み、このカバー板３０は、前記延伸部１２に被さり合い、絶縁材料により形成され、カバー板３０は、主に立板３１及び立板３１上端から直角に湾折延伸する一対の遮蔽板３２を含み、立板３１の内壁は、３つの孔塞栓３１１を凸伸し、各孔塞栓３１１は、それぞれ前記貫通孔１２１に対応して穿合し、立板３１は、延伸部１２の後端面に被さり合い、各遮蔽板３２は、それぞれ前記保護板１２５の上部を対応して遮蔽し、且つ遮蔽板３２内側の前記ラッチ溝１２６に対応する位置にラッチアーム３２１を成型し、相互に嵌合接続する（図５参照）。
【００１８】
図６に示すように、本考案は、更に、アダプタを提供し、それは、電源コンセント１、複数の導電線５及び回路板６を含み、電源コンセント１は、絶縁ソケット体１０及び複数の導電ピン２０を含み、絶縁ソケット体１０及び電源ピン２０は、前記で説明しているので、ここでは再度記載しない。導電線５の数量は、前記導電ピン２０の数量と適合し、各導電線５は、芯線５１及び射出方式で芯線５１外部を覆う被覆層５２を有する。導電線５の一端は、導電ピン２０に電気接続し、他端は、回路板６に電気接続される。
【００１９】
図１〜図５を参照し、電源コンセント１及び各導電線５の組み立てを行う時、導電線５の一端が通孔１２２から入り、芯線５１は、小径段１２３及び貫通孔１２１内に穿合され、被覆層５２は、ブロックされて大径段１２４内に形成され、次に溶接方式ではんだ材４０を貫通孔１２１から充填し、導電線５の一端及び導電ピン２０端部の固定並びに電気接続を達成する（図３参照）。また、前記結合方式は、スポット溶接、超音波等の方式で行うこともできる。続いて、カバー板３０の立板３１を延伸部１２の後端面に対応して被せ合わせ、この時、各孔塞栓３１１は、それぞれ前記貫通孔１２１に対応して塞栓し、各遮蔽板３２は、それぞれ前記保護板１２５の上部に対応して被さり合い、遮蔽板３２のラッチアーム３２１を利用してラッチ溝１２６に対して嵌合接続し、各遮蔽板３２は、導電線５の一端部の上方を遮蔽し、導電線５において、通電時に発生するアーク火花が十分に覆い包まれることができる（図５参照）。
【００２０】
上記のように、本考案の電源コンセント及び該コンセントを具えるアダプタは、予期する使用目的を確実に達成でき、従来の欠陥を解決することができ、新規性及び進歩性を有する。
【符号の説明】
【００２１】
１      電源コンセント
１０    絶縁ソケット体
１１    ソケット部
１１１  挿入溝
１２    延伸部
１２１  貫通孔
１２２  通孔
１２３  小径段
１２４  大径段
１２５  保護板
１２６  ラッチ溝
２０    導電ピン
２１    導接端
２２    固定段
２３    溶接端
３０    カバー板
３１    立板
３１１  孔塞栓
３２    遮蔽板
３２１  ラッチアーム
４０    はんだ材
５      導電線
５１    芯線
５２    被覆層
６      回路板
【図１】
0003191097.tif 000003
【図２】
0003191097.tif 000004
【図３】
0003191097.tif 000005
【図４】
0003191097.tif 000006
【図５】
0003191097.tif 000007
【図６】
0003191097.tif 000008